(57)【要約】  表示面の向きの調整を適正に行って使い勝手の向上を図る。  一方の側に撮像部を有する装置本体と、表示面を有し装置本体に対して収納位置と飛出位置の間で移動可能とされたモニターと、装置本体から一方の側と反対の他方の側に突出して設けられた接眼部とを備え、収納位置は表示面が他方の側を向きモニターが装置本体に収納される位置とされ、飛出位置は表示面が一方の側を向き接眼部が表示面の投影範囲の外側に存在する位置とされた。
2017081927.tif 000002
【特許請求の範囲】
【請求項１】
装置本体と、
前記装置本体に第１の回動軸を支点として回動自在に支持された第１のアームと、
前記第１のアームに第２の回動軸を支点として回動自在に支持された第２のアームと、
前記第２のアームに第３の回動軸を支点として回動自在に支持されたモニターとを備え、
前記第１の回動軸の軸方向と前記第２の回動軸の軸方向と前記第３の回動軸の軸方向とが同じ方向にされた
撮像装置。
【請求項２】
前記装置本体の一方の側に撮像部が設けられ、
前記モニターが表示面を有し前記装置本体に対して収納位置と飛出位置の間で移動可能とされ、
前記装置本体から前記一方の側と反対の他方の側に突出して接眼部が設けられ、
前記収納位置は前記表示面が前記他方の側を向き前記モニターが前記装置本体に収納される位置とされ、
前記飛出位置は前記表示面が前記一方の側を向き前記接眼部が前記表示面の投影範囲の外側に存在する位置とされた
請求項１に記載の撮像装置。
【請求項３】
前記飛出位置において前記表示面が前記装置本体の上面より上方に位置される
請求項２に記載の撮像装置。
【請求項４】
前記飛出位置において前記表示面が前方を向く
請求項２に記載の撮像装置。
【請求項５】
前記装置本体に対する前記第１のアームの回動角度を規制する第１の角度規制部と、
前記第１のアームに対する前記第２のアームの回動角度を規制する第２の角度規制部と、
前記第２のアームに対する前記モニターの回動角度を規制する第３の角度規制部とが設けられた
請求項１に記載の撮像装置。
【請求項６】
前記第１のアームの前記装置本体に対する前記収納位置と前記飛出位置の間の回動角度が９０度より大きくされた
請求項２に記載の撮像装置。
【請求項７】
前記第１のアームを前記装置本体に対して回動しない非回動位置に保持するロック部が設けられた
請求項１に記載の撮像装置。
【請求項８】
前記モニターが前記装置本体に対して収納位置と飛出位置の間で移動可能とされ、
少なくとも前記第１のアームが回動されて前記モニターが前記飛出位置に移動され、
前記飛出位置において撮影を行う自分撮り撮影モードを含む複数の撮影モードの選択が可能とされ、
前記自分撮り撮影モードが選択されたときに前記第１のアームに対する前記ロック部によるロックが解除される
請求項７に記載の撮像装置。
【請求項９】
前記モニターが前記装置本体に対して収納位置と飛出位置の間で移動可能とされ、
前記モニターを前記収納位置から前記飛出位置へ向かう方向へ付勢する付勢バネが設けられ、
前記第１のアームが前記収納位置において前記付勢バネによる付勢力が付与された状態で前記ロック部によってロックされる
請求項７に記載の撮像装置。
【請求項１０】
前記モニターが前記装置本体に対して収納位置と飛出位置の間で移動可能とされ、
前記ロック部が前記収納位置において前記第２のアーム又は前記モニターに閉塞される
請求項７に記載の撮像装置。
【請求項１１】
一方の側に撮像部を有する装置本体と、
表示面を有し前記装置本体に対して収納位置と飛出位置の間で移動可能とされたモニターと、
前記装置本体から前記一方の側と反対の他方の側に突出して設けられた接眼部とを備え、
前記収納位置は前記表示面が前記他方の側を向き前記モニターが前記装置本体に収納される位置とされ、
前記飛出位置は前記表示面が前記一方の側を向き前記接眼部が前記表示面の投影範囲の外側に存在する位置とされた
撮像装置。
【請求項１２】
前記装置本体に第１の回動軸を支点として回動自在に支持された第１のアームが設けられ、
前記第１のアームに第２の回動軸を支点として回動自在に支持された第２のアームが設けられ、
前記モニターが前記第２のアームに第３の回動軸を支点として回動自在に支持され、
前記第１の回動軸の軸方向と前記第２の回動軸の軸方向と前記第３の回動軸の軸方向とが同じ方向にされた
請求項１１に記載の撮像装置。
【請求項１３】
前記飛出位置において前記表示面が前記装置本体の上面より上方に位置される
請求項１１に記載の撮像装置。
【請求項１４】
前記飛出位置において前記表示面が前方を向く
請求項１１に記載の撮像装置。
【請求項１５】
前記装置本体に対する前記第１のアームの回動角度を規制する第１の角度規制部と、
前記第１のアームに対する前記第２のアームの回動角度を規制する第２の角度規制部と、
前記第２のアームに対する前記モニターの回動角度を規制する第３の角度規制部とが設けられた
請求項１２に記載の撮像装置。
【請求項１６】
前記第１のアームの前記装置本体に対する前記収納位置と前記飛出位置の間の回動角度が９０度より大きくされた
請求項１２に記載の撮像装置。
【請求項１７】
前記第１のアームを前記装置本体に対して回動しない非回動位置に保持するロック部が設けられた
請求項１２に記載の撮像装置。
【請求項１８】
少なくとも前記第１のアームが回動されて前記モニターが前記飛出位置に移動され、
前記飛出位置において撮影を行う自分撮り撮影モードを含む複数の撮影モードの選択が可能とされ、
前記自分撮り撮影モードが選択されたときに前記第１のアームに対する前記ロック部によるロックが解除される
請求項１７に記載の撮像装置。
【請求項１９】
前記モニターを前記収納位置から前記飛出位置へ向かう方向へ付勢する付勢バネが設けられ、
前記第１のアームが前記収納位置において前記付勢バネによる付勢力が付与された状態で前記ロック部によってロックされる
請求項１７に記載の撮像装置。
【請求項２０】
前記ロック部が前記収納位置において前記第２のアーム又は前記モニターに閉塞される
請求項１７に記載の撮像装置。
【発明の詳細な説明】
【技術分野】
【０００１】
本技術は装置本体に対して回動可能なモニターを備えた撮像装置についての技術分野に関する。
【先行技術文献】
【特許文献】
【０００２】
【特許文献１】特開２０１２−８０４００号公報
【背景技術】
【０００３】
ビデオカメラやスチルカメラ等の各種の撮像装置には、撮像素子を有する装置本体と装置本体に対して回動可能なモニターとを有しているものがある（例えば、特許文献１参照）。【０００４】
このようなモニターが回動可能とされた撮像装置においては、モニターを装置本体に対して所望の方向及び所望の角度で回動させることにより、モニターの表示面を各撮影状態に応じた向きにすることが可能である。表示面を各撮影状態に応じた向きにすることにより、撮影時における被写体の視認性を高めることができる他、好みに応じたアングルでの撮影を行うことができる。【０００５】
特許文献１に記載された撮像装置にあっては、装置本体にフレームが回動自在に支持され、フレームにモニターが回動自在に支持されている（例えば、特許文献１の図２６参照）。モニターはフレームに第１の回動軸を支点として回動自在に支持されると共に第１の回動軸と直交する第２の回動軸を支点として回動自在に支持されている。【０００６】
モニターの第１の回動軸を支点とした回動方向はフレームの装置本体に対する回動方向と同じ方向にされている。従って、モニターは装置本体に対するフレームの回動方向と同じ方向へ回動されると共に装置本体に対するフレームの回動方向と異なる方向へも回動される。【０００７】
このように特許文献１に記載された撮像装置にあっては、モニターが異なる二つの方向へ回動可能であるため、撮影者が撮影状態等に応じた必要な方向へモニターを回動させて好みに応じたアングルでの撮影を行うことが可能とされている。
【発明の概要】
【発明が解決しようとする課題】
【０００８】
ところで、上記のようなモニターが装置本体に対して回動可能とされている撮像装置においては、モニターをフレームの回動方向とは異なる方向へ回動させる場合があるため、撮影の開始までの回動動作が煩雑になり、表示面の向きの調整までに時間や手間がかかったり、表示面を必要な向きに設定し難い場合が生じるおそれがある。【０００９】
このような表示面の向きの調整に関する不具合は、撮影チャンスを逸したり良好な撮影状態を確保することができなくなる要因になる。【００１０】
そこで、本技術撮像装置は、上記した問題点を克服し、表示面の向きの調整を適正に行って使い勝手の向上を図ることを目的とする。
【課題を解決するための手段】
【００１１】
第１に、本技術に係る撮像装置は、装置本体と、前記装置本体に第１の回動軸を支点として回動自在に支持された第１のアームと、前記第１のアームに第２の回動軸を支点として回動自在に支持された第２のアームと、前記第２のアームに第３の回動軸を支点として回動自在に支持されたモニターとを備え、前記第１の回動軸の軸方向と前記第２の回動軸の軸方向と前記第３の回動軸の軸方向とが同じ方向にされたものである。【００１２】
これにより、第１のアームと第２のアームとモニターが装置本体に対して同じ方向へ回動される。【００１３】
第２に、上記した撮像装置においては、前記装置本体の一方の側に撮像部が設けられ、前記モニターが表示面を有し前記装置本体に対して収納位置と飛出位置の間で移動可能とされ、前記装置本体から前記一方の側と反対の他方の側に突出して接眼部が設けられ、前記収納位置は前記表示面が前記他方の側を向き前記モニターが前記装置本体に収納される位置とされ、前記飛出位置は前記表示面が前記一方の側を向き前記接眼部が前記表示面の投影範囲の外側に存在する位置とされることが望ましい。【００１４】
これにより、飛出位置において接眼部が表示面の投影範囲に存在しない。【００１５】
第３に、上記した撮像装置においては、前記飛出位置において前記表示面が前記装置本体の上面より上方に位置されることが望ましい。【００１６】
これにより、装置本体によって表示面に表示される画像が遮蔽され難い。【００１７】
第４に、上記した撮像装置においては、前記飛出位置において前記表示面が前方を向くことが望ましい。【００１８】
これにより、表示面に表示される画像を被写体側から視認することが可能である。【００１９】
第５に、上記した撮像装置においては、前記装置本体に対する前記第１のアームの回動角度を規制する第１の角度規制部と、前記第１のアームに対する前記第２のアームの回動角度を規制する第２の角度規制部と、前記第２のアームに対する前記モニターの回動角度を規制する第３の角度規制部とが設けられることが望ましい。【００２０】
これにより、三つの角度規制部によって各回動位置においてモニターの装置本体に対する回動角度が常に同じ角度にされる。【００２１】
第６に、上記した撮像装置においては、前記第１のアームの前記装置本体に対する前記収納位置と前記飛出位置の間の回動角度が９０度より大きくされることが望ましい。【００２２】
これにより、第１のアームの装置本体に対する回動角度が大きくなる。【００２３】
第７に、上記した撮像装置においては、前記第１のアームを前記装置本体に対して回動しない非回動位置に保持するロック部が設けられることが望ましい。【００２４】
これにより、第１のアーム以外の部分の回動時に第１のアームが装置本体に対して回動しない。【００２５】
第８に、上記した撮像装置においては、前記モニターが前記装置本体に対して収納位置と飛出位置の間で移動可能とされ、少なくとも前記第１のアームが回動されて前記モニターが前記飛出位置に移動され、前記飛出位置において撮影を行う自分撮り撮影モードを含む複数の撮影モードの選択が可能とされ、前記自分撮り撮影モードが選択されたときに前記第１のアームに対する前記ロック部によるロックが解除されることが望ましい。【００２６】
これにより、撮影モードの選択とロック解除の操作の両方の作業を行う必要がない。【００２７】
第９に、上記した撮像装置においては、前記モニターが前記装置本体に対して収納位置と飛出位置の間で移動可能とされ、前記モニターを前記収納位置から前記飛出位置へ向かう方向へ付勢する付勢バネが設けられ、前記第１のアームが前記収納位置において前記付勢バネによる付勢力が付与された状態で前記ロック部によってロックされることが望ましい。【００２８】
これにより、ロック部によるロックが解除されたときに付勢バネの付勢力によって第１のアームが飛出位置へ向けて回動される。【００２９】
第１０に、上記した撮像装置においては、前記モニターが前記装置本体に対して収納位置と飛出位置の間で移動可能とされ、前記ロック部が前記収納位置において前記第２のアーム又は前記モニターに閉塞されることが望ましい。【００３０】
これにより、第２のアーム又はモニターが回動されない状態においてロック部が閉塞される。【００３１】
第１１に、別の本技術に係る撮像装置は、一方の側に撮像部を有する装置本体と、表示面を有し前記装置本体に対して収納位置と飛出位置の間で移動可能とされたモニターと、前記装置本体から前記一方の側と反対の他方の側に突出して設けられた接眼部とを備え、前記収納位置は前記表示面が前記他方の側を向き前記モニターが前記装置本体に収納される位置とされ、前記飛出位置は前記表示面が前記一方の側を向き前記接眼部が前記表示面の投影範囲の外側に存在する位置とされたものである。【００３２】
これにより、飛出位置において接眼部が表示面の投影範囲に存在しない。【００３３】
第１２に、上記した撮像装置においては、前記装置本体に第１の回動軸を支点として回動自在に支持された第１のアームが設けられ、前記第１のアームに第２の回動軸を支点として回動自在に支持された第２のアームが設けられ、前記モニターが前記第２のアームに第３の回動軸を支点として回動自在に支持され、前記第１の回動軸の軸方向と前記第２の回動軸の軸方向と前記第３の回動軸の軸方向とが同じ方向にされることが望ましい。【００３４】
これにより、第１のアームと第２のアームとモニターが装置本体に対して同じ方向へ回動される。【００３５】
第１３に、上記した撮像装置においては、前記飛出位置において前記表示面が前記装置本体の上面より上方に位置されることが望ましい。【００３６】
これにより、装置本体によって表示面に表示される画像が遮蔽され難い。【００３７】
第１４に、上記した撮像装置においては、前記飛出位置において前記表示面が前方を向くことが望ましい。【００３８】
これにより、表示面に表示される画像を被写体側から視認することが可能である。【００３９】
第１５に、上記した撮像装置においては、前記装置本体に対する前記第１のアームの回動角度を規制する第１の角度規制部と、前記第１のアームに対する前記第２のアームの回動角度を規制する第２の角度規制部と、前記第２のアームに対する前記モニターの回動角度を規制する第３の角度規制部とが設けられることが望ましい。【００４０】
これにより、三つの角度規制部によって各回動位置においてモニターの装置本体に対する回動角度が常に同じ角度にされる。【００４１】
第１６に、上記した撮像装置においては、前記第１のアームの前記装置本体に対する前記収納位置と前記飛出位置の間の回動角度が９０度より大きくされることが望ましい。【００４２】
これにより、第１のアームの装置本体に対する回動角度が大きくなる。【００４３】
第１７に、上記した撮像装置においては、前記第１のアームを前記装置本体に対して回動しない非回動位置に保持するロック部が設けられることが望ましい。【００４４】
これにより、第１のアーム以外の部分の回動時に第１のアームが装置本体に対して回動しない。【００４５】
第１８に、上記した撮像装置においては、少なくとも前記第１のアームが回動されて前記モニターが前記飛出位置に移動され、前記飛出位置において撮影を行う自分撮り撮影モードを含む複数の撮影モードの選択が可能とされ、前記自分撮り撮影モードが選択されたときに前記第１のアームに対する前記ロック部によるロックが解除されることが望ましい。【００４６】
これにより、撮影モードの選択とロック解除の操作の両方の作業を行う必要がない。【００４７】
第１９に、上記した撮像装置においては、前記モニターを前記収納位置から前記飛出位置へ向かう方向へ付勢する付勢バネが設けられ、前記第１のアームが前記収納位置において前記付勢バネによる付勢力が付与された状態で前記ロック部によってロックされることが望ましい。【００４８】
これにより、これにより、ロック部によるロックが解除されたときに付勢バネの付勢力によって第１のアームが飛出位置へ向けて回動される。【００４９】
第２０に、上記した撮像装置においては、前記ロック部が前記収納位置において前記第２のアーム又は前記モニターに閉塞されることが望ましい。【００５０】
これにより、第２のアーム又はモニターが回動されない状態においてロック部が閉塞される。
【発明の効果】
【００５１】
本技術によれば、表示面の向きの調整が適正に行われて撮像装置の使い勝手の向上を図ることができる。【００５２】
尚、本明細書に記載された効果はあくまでも例示であって限定されるものではなく、他の効果があってもよい。
【図面の簡単な説明】
【００５３】
【図１】図２乃至図２６と共に本技術撮像装置の実施の形態を示すものであり、本図は、撮像装置の斜視図である。
【図２】撮像装置の背面図である。
【図３】ロック部等を示す拡大斜視図である。
【図４】ロック部等を示す拡大断面図である。
【図５】主として撮像装置の背面側を示す斜視図である。
【図６】モニターを回動するための構造を示す拡大側面図である。
【図７】ハイアングル撮影の状態を示す斜視図である。
【図８】ローアングル撮影の状態を示す斜視図である。
【図９】角度規制部と被規制突部の一例を示す拡大斜視図である。
【図１０】図１１及び図１２と共にロック部の動作を示すものであり、本図は、作用軸の作用部がロック部の傾斜面に接している状態を示す拡大断面図である。
【図１１】第１のアームがロック部によってロックされた状態を示す拡大断面図である。
【図１２】第１のアームに対するロック部のロックが解除され第１のアームが作用軸によって押圧された状態を示す拡大断面図である。
【図１３】モニターが収納位置にある状態を示す側面図である。
【図１４】モニターが収納位置にあるときのモニターを回動するための構造の状態を示す拡大側面図である。
【図１５】モニターが第１の回動位置にある状態を示す側面図である。
【図１６】モニターが第１の回動位置にあるときのモニターを回動するための構造の状態を示す拡大側面図である。
【図１７】モニターが第２の回動位置にある状態を示す側面図である。
【図１８】モニターが第２の回動位置にあるときのモニターを回動するための構造の状態を示す拡大側面図である。
【図１９】モニターが飛出位置にある状態を示す側面図である。
【図２０】モニターが飛出位置にあるときのモニターを回動するための構造の状態を示す拡大側面図である。
【図２１】モニターが飛出位置まで回動された状態を示す正面図である。
【図２２】ロック部の別の例を示す拡大斜視図である。
【図２３】ロック部のまた別の例を示す拡大斜視図である。
【図２４】表示制御の一例を示すフローチャート図である。
【図２５】モニターの表示面が上方を向いた状態を示す側面図である。
【図２６】撮像装置の一例を示すブロック図である。
【発明を実施するための形態】
【００５４】
以下に、本技術を実施するための形態を添付図面を参照して説明する。
【００５５】
以下に示した実施の形態は、本技術撮像装置をスチルカメラに適用したものである。尚、本技術の適用範囲はスチルカメラに限られることはなく、例えば、ビデオカメラ等の他の撮像装置にも適用することができ、装置本体と装置本体に対してモニターが回動されるタイプの各種の撮像装置に広く適用することができる。
【００５６】
以下の説明にあっては、対面撮影時（自分撮り以外の撮影時）において撮影者から見た方向で前後上下左右の方向を示すものとする。従って、対面撮影時における被写体側が前方となり、対面撮影時における撮影者側が後方となる。
【００５７】
尚、以下に示す前後上下左右の方向は説明の便宜上のものであり、本技術の実施に関しては、これらの方向に限定されることはない。
【００５８】
＜撮像装置の構成＞
撮像装置１は装置本体２と装置本体２に対して回動可能とされたモニター３とを有している（図１及び図２参照）。
【００５９】
装置本体２は筐体４の内外に所要の各部が配置されて成る。
【００６０】
筐体４の各面、特に、上面４ａ及び後面４ｂには各種の操作部５、５、・・・が配置されている。操作部５、５、・・・としては、例えば、電源釦、シャッター釦、モード切替摘子等が設けられている。
【００６１】
筐体４の上面４ａ側にはフラッシュ部の蓋部６と取付シュー７が設けられている。フラッシュ部は筐体４から上方へ突出されることにより発光可能な状態にされ、非使用時には筐体４の内部に挿入され蓋部６の上面が上面４ａと同一平面上に位置される。取付シュー７はストロボ等が取り付けられる部分である。
【００６２】
筐体４の後面側には後方、一方の側方及び下方に開口された収納部８が形成されている。筐体４の後面４ｂに配置された操作部５、５、・・・は収納部８以外の部分に位置されている。筐体４の後面４ｂには収納部８に配置用凹部８ａが形成されている。配置用凹部８ａは所定の形状に形成され、浅い凹部として形成されている。
【００６３】
筐体４の後面４ｂにはファインダー窓９が設けられている。ファインダー窓９は筐体４の上端部における一方の側部に位置されている。筐体４にはファインダー窓９を周囲から覆う位置に接眼部１０が取り付けられている。接眼部１０は後方へ行くに従って径が大きくなる筒状に形成され、ファインダー窓９の保護やファインダー窓９への外光の入射を抑制する機能を有している。接眼部１０は上端部が筐体４の上面４ａより上側に位置されている。
【００６４】
筐体４の前面４ｃ側には円環状のレンズマウント部４ｄが設けられている。レンズマウント部４ｄは交換レンズ１００が取り付けられる取付部として設けられている。筐体４の内部にはレンズマウント部４ｄの内側における後方に撮像素子１１が配置されている。レンズマウント部４ｄと撮像素子１１は撮像部として機能し、撮像部は筐体４の後面部に対して一方の側、即ち、前側に設けられている。
【００６５】
接眼部１０は筐体４の後面部に対して他方の側、即ち、後方に突出して設けられている。
【００６６】
尚、撮像装置１は、上記したように、レンズマウント部４ｄに交換レンズ１００が取り付けられて用いられるタイプであってもよく、また、装置本体２にズームレンズやフォーカスレンズ等の図示しない撮像レンズが予め組み込まれたタイプであってもよい。撮像装置１が装置本体２に予め組み込まれた撮像レンズを有するタイプである場合には、撮像レンズと撮像素子１１が撮像部として機能し、この撮像部も筐体４の後面部に対して一方の側、即ち、前側に設けられる。
【００６７】
筐体４にはロック部１２が、例えば、左右方向へスライド自在に支持されている（図２参照）。ロック部１２は後面４ｂの下端部において配置用凹部８ａに位置されている。ロック部１２は左右に延びる形状に形成されたスライド操作部１３とスライド操作部１３から前方に突出された被支持突部１４とを有している（図３及び図４参照）。
【００６８】
スライド操作部１３の右端部には右方へ行くに従って前方に変位する傾斜面１５が形成されている。スライド操作部１３の右端部には右方に開口された半円形状の挿入溝１３ａが形成され、挿入溝１３ａを囲む部分が半円弧状の挿入係合部１６として設けられている。
【００６９】
筐体４の内部にはバネ部材１７が配置されている。ロック部１２はバネ部材１７によって右方へ付勢されている。従って、ロック部１２は操作前において右方の移動端に保持され、バネ部材１７の付勢力に反してスライド操作されて左方へ移動され、スライド操作が終了するとバネ部材１７の付勢力によって右方の移動端へ向けて移動される。
【００７０】
筐体４にはロック部１２の直ぐ右側の位置に押圧ピン１８が前後方向へ移動自在に支持されている（図２及び図４参照）。押圧ピン１８は前後に延びる軸状の押圧部１８ａと押圧部１８ａの前端部から外方に張り出されたフランジ部１８ｂとを有し、押圧部１８ａが筐体４の後面部に挿通され、フランジ部１８ｂが筐体４の内部に位置されている。
【００７１】
筐体４の内部には付勢バネ１９が配置されている（図４参照）。押圧ピン１８は付勢バネ１９によって押圧部１８ａが筐体４から突出される方向である後方へ付勢されている。押圧ピン１８は外力が付与されていない状態において、付勢バネ１９の付勢力によってフランジ部１８ｂが筐体４における後面部の内面に押し付けられ筐体４からの脱落が防止されている。
【００７２】
装置本体２には支持部材２０を介して第１のアーム２１が回動自在に支持されている（図２、図５及び図６参照）。支持部材２０は筐体４に取り付けられた被取付面部２０ａと被取付面部２０ａの左右両端部からそれぞれ後方に突出された支持面部２０ｂ、２０ｂとを有している。支持部材２０は筐体４の後面部における上端寄りの位置に取り付けられている。支持面部２０ｂ、２０ｂは第１のアーム２１を回動自在に支持すると共に装置本体２に対する第１のアーム２１の角度を規制する第１の角度規制部として機能する。
【００７３】
第１のアーム２１は所定の形状の板状に形成され、面積が最も大きくされたベース板部２２とベース板部２２の左右方向における中央部から突出された連結突部２３とベース板部２２の左右両端部からそれぞれ連結突部２３の反対方向へ突出された脚部２４、２４と脚部２４、２４の先端部にそれぞれ連続され脚部２４、２４に対して直交する方向に折り曲げられて形成された支持突部２５、２５とを有している。
【００７４】
連結突部２３の先端部には軸方向が左右方向にされた第１の回動軸２３ａが設けられ、第１の回動軸２３ａが支持部材２０の支持面部２０ｂ、２０ｂに支持されている。第１のアーム２１は一定の摩擦力を有した状態で第１の回動軸２３ａを支点として支持部材２０を介して装置本体２に対して回動可能とされている。連結突部２３には外方に突出された第１の被規制突部２３ｂ、２３ｂが左右に離隔して設けられている。
【００７５】
連結突部２３の先端部には覆い部材２６が取り付けられている（図７及び図８参照）。覆い部材２６によって連結突部２３の第１の回動軸２３ａを含む部分が覆われて保護される。
【００７６】
支持突部２５、２５には一部が互いに近付く方向へ折り曲げられることによりそれぞれ第２の角度規制部２５ａ、２５ａが設けられている。
【００７７】
一方の脚部２４の先端部には作用軸２７が取り付けられている（図４参照）。作用軸２７は軸部２８と軸部２８の一端部に連結された作用部２９とを有し、軸部２８の他端部が脚部２４に連結されている。作用部２９は軸部２８と反対側の面が凸状の曲面とされ、この曲面が作用面２９ａとして形成されている。
【００７８】
第１のアーム２１には一定の摩擦力を有した状態で第２のアーム３０が回動自在に支持されている（図２、図５及び図６参照）。第２のアーム３０は所定の形状の板状に形成され、面積が最も大きくされた基面部３１と基面部３１の左右両端部にそれぞれ連続され基面部３１に対して直交する方向に折り曲げられて形成された連結面部３２、３２とを有している。
【００７９】
連結面部３２、３２の一端部にはそれぞれ軸方向が左右方向にされた第２の回動軸３２ａ、３２ａが設けられ、第２の回動軸３２ａ、３２ａが第１のアーム２１の支持突部２５、２５に支持されている。従って、第２のアーム３０は第２の回動軸３２ａ、３２ａを支点として第１のアーム２１に対して回動可能とされている。連結面部３２、３２の一端部にはそれぞれ第２の被規制突部３２ｂ、３２ｂが設けられている。
【００８０】
連結面部３２、３２の他端部寄りに位置された側縁はそれぞれ第３の角度規制部３２ｃ、３２ｃとして形成されている（図６及び図９参照）。
【００８１】
第２のアーム３０には保持板３３を介してモニター３が回動自在に支持されている（図２、図５及び図６参照）。
【００８２】
保持板３３は面積が最も大きくされた保持面部３４と保持面部３４の左右両端部にそれぞれ連続され保持面部３４に対して直交する方向に折り曲げられて形成された結合面部３５、３５とを有している。
【００８３】
結合面部３５、３５の中間部にはそれぞれ軸方向が左右方向にされた第３の回動軸３５ａ、３５ａが設けられ、第３の回動軸３５ａ、３５ａが第２のアーム３０の連結面部３２、３２に支持されている。モニター３は一定の摩擦力を有した状態で第３の回動軸３５ａ、３５ａを支点として第２のアーム３０に対して回動可能とされている。結合面部３５、３５の中間部にはそれぞれ第３の被規制突部３５ｂ、３５ｂが設けられている（図６及び図９参照）。
【００８４】
モニター３の一方の面側には表示面３ａが形成されている。モニター３は保持面部３４に取り付けられて保持されている。モニター３には保持面部３４に取り付けられた状態において保持面部３４を閉塞する背面板３６が取り付けられる。
【００８５】
＜ロック部の動作＞
上記のように構成された撮像装置１において、第１のアーム２１はロック部１２によって以下のようにしてロックされる（図４、図１０、図１１及び図１２参照）。
【００８６】
第１のアーム２１がロック部１２によってロックされる前の状態においては、第１のアーム２１とロック部１２が離隔されて位置されており、ロック部１２はバネ部材１７の付勢力によって右方の移動端に位置され、押圧ピン１８は付勢バネ１９の付勢力によって押圧部１８ａが筐体４から最も大きく突出した状態にされている（図４参照）。
【００８７】
第１のアーム２１が装置本体２に対して配置用凹部８ａに近付く方向へ回動されると、作用軸２７の作用面２９ａがロック部１２の傾斜面１５に接触され（図１０参照）、さらに第１のアーム２１が配置用凹部８ａに近付く方向へ回動されることにより作用面２９ａが傾斜面１５に摺動され、ロック部１２がバネ部材１７の付勢力に反して左方へ移動されていく。
【００８８】
左方へ移動されたロック部１２はスライド操作部１３の右端部が作用部２９の左方に位置される。スライド操作部１３の右端部が作用部２９の左方に位置されると、作用面２９ａが傾斜面１５から離隔されると共に作用部２９がスライド操作部１３の前側に位置されるため、ロック部１２がバネ部材１７の付勢力によって右方へ移動されて行く（図１１参照）。
【００８９】
このとき押圧ピン１８は作用部２９によって押圧され付勢バネ１９の付勢力に反して前方へ移動される。
【００９０】
ロック部１２が右方へ移動されると、スライド操作部１３の挿入溝１３ａに作用軸２７の軸部２８が挿入され、スライド操作部１３の挿入係合部１６が第１のアーム２１の脚部２４と作用部２９の間に挿入されて挿入係合部１６が脚部２４と作用軸２７に係合される。
【００９１】
従って、第１のアーム２１がロック部１２によってロックされ、第１のアーム２１の回動が規制される。第１のアーム２１は配置用凹部８ａに挿入された状態でロック部１２によってロックされ、第１のアーム２１がロック部１２によってロックされた位置が非回動位置とされる。
【００９２】
このように第１のアーム２１は非回動位置において配置用凹部８ａに挿入された状態でロックされるため、ロックされた状態において筐体４から後方に突出されず、撮像装置１の小型化を図ることができる。
【００９３】
第１のアーム２１がロック部１２によってロックされた状態において、ロック部１２がスライド操作されて左方へ移動されると、スライド操作部１３の右端部と脚部２４及び作用軸２７との係合が解除される（図１２参照）。スライド操作部１３の右端部と脚部２４及び作用軸２７との係合が解除されると、押圧ピン１８が付勢バネ１９の付勢力によって後方へ移動され、押圧部１８ａによって作用軸２７が押圧され、第１のアーム２１が装置本体２に対して回動されて配置用凹部８ａから離隔される。
【００９４】
ロック部１２の左方へのスライド操作が終了すると、ロック部１２はバネ部材１７の付勢力によって再び右方の移動端に位置される。
【００９５】
上記のように、ロック部１２によるロックが解除されたときに付勢バネ１９の付勢力によって第１のアーム２１が配置用凹部８ａから離隔する方向へ回動されるため、筐体４の後面４ｂと第１のアーム２１の間に隙間が生じる。
【００９６】
従って、筐体４の後面４ｂと第１のアーム２１の間の隙間に手を差し込んで第１のアーム２１を把持して装置本体２に対して回動させることが可能になり、第１のアーム２１の回動を容易に行うことができ撮像装置１の使い勝手の向上を図ることができる。
【００９７】
また、一方の手でロック部１２が左方へ移動された状態を保持し他方の手で第１のアーム２１を配置用凹部８ａから離隔する方向へ回動させると言う両手を使用した面倒な作業を行う必要がなく、第１のアーム２１の回動を容易かつ迅速に行うことができる。
【００９８】
＜撮像装置における回動動作＞
撮像装置１においては、モニター３が装置本体２に対して回動され、以下のように各回動位置に保持される。モニター３の回動位置としては、装置本体２の収納部８に収納される収納位置と、装置本体２に対して第２のアーム３０が回動されて形成される第１の回動位置と、装置本体２に対して第２のアーム３０とモニター３が回動されて形成される第２の回動位置と、装置本体２に対して第２のアーム３０とモニター３と第１のアーム２１が回動されて形成される飛出位置とがある。
【００９９】
モニター３が収納位置にある状態においては、第１のアーム２１が非回動位置においてロック部１２によってロックされ、第２のアーム３０が第１のアーム２１に最も近付いた状態にされて第２のアーム３０の基面部３１と第１のアーム２１のベース板部２２とが対向し平行な状態にされ、保持板３３が第２のアーム３０に最も近付いた状態にされて保持板３３の保持面部３４と第２のアーム３０の基面部３１とが対向し平行な状態にされている（図１３及び図１４参照）。このときモニター３に取り付けられた背面板３６が第２のアーム３０の基面部３１に後方から接した状態にされ、モニター３の第２のアーム３０に対する一方の回動方向における位置決めが行われている。
【０１００】
モニター３が収納位置にある状態においては、モニター３によってロック部１２が後方から閉塞され、ロック部１２に対する操作が不能な状態にされている。尚、このときロック部１２は第２のアーム３０によって後方から閉塞されていてもよい。
【０１０１】
このようにロック部１２は収納位置においてモニター３又は第２のアーム３０によって閉塞されているため、第２のアーム３０又はモニター３が回動されない状態においてロック部１２が閉塞される。
【０１０２】
従って、第２のアーム３０又はモニター３の回動時に意図せずロック部１２が操作されて第１のアーム２１のロックが解除されることがなく、誤操作を防止することができる。
【０１０３】
また、ロック部１２が収納位置においてモニター３又は第２のアーム３０によって閉塞されているため、収納位置においてロック部１２が視認されず、撮像装置１の意匠性の向上を図ることができる。
【０１０４】
収納位置においては、モニター３の表示面３ａが後方を向く状態にされており、撮影者は前方の被写体を表示面３ａにおいて視認して撮影を行う対面撮影を行うことが可能である。
【０１０５】
収納位置から第２のアーム３０が第２の回動軸３２ａ、３２ａを支点として第１のアーム２１に対して回動されると、モニター３が第２のアーム３０と一体になって装置本体２に対して回動される。第２のアーム３０は第２の被規制突部３２ｂ、３２ｂがそれぞれ第１のアーム２１の第２の角度規制部２５ａ、２５ａに接触される位置まで回動され、第１の回動位置に至る（図１５及び図１６参照）。このとき第１のアーム２１がロック部１２によってロックされているため、第２のアーム３０の回動動作に伴って第１のアーム２１が装置本体２に対して回動されることがない。
【０１０６】
第１の回動位置においては、モニター３の表示面３ａが斜め下方を向く状態にされており、ハイアングル撮影を行うことが可能である。このときモニター３に取り付けられた背面板３６が第２のアーム３０の基面部３１に後方から接した状態が保持されている。
【０１０７】
収納位置から第１の回動位置までの第２のアーム３０の回動角度をＸとすると、Ｘは、例えば、５５度にされている。
【０１０８】
モニター３が第１の回動位置にある状態においては、モニター３によってロック部１２が後方から遮蔽され、ロック部１２に対する操作を行い難い状態にされている。このときロック部１２は第２のアーム３０によって後方から遮蔽されていてもよい。
【０１０９】
このようにロック部１２は第１の回動位置においてモニター３又は第２のアーム３０によって遮蔽されているため、第２のアーム３０又はモニター３の回動時に意図せずロック部１２が操作されて第１のアーム２１のロックが解除されることが生じ難く、誤操作の発生を低減することができる。
【０１１０】
尚、第１の回動位置においては第１のアーム２１とモニター３の間に上方又は側方から手を挿入することにより、ロック部１２の操作が可能な状態にされているが、後方からはロック部１２を視認することができず、誤ってロック部１２に手が接触してロック部１２の誤操作を行う可能性が低くされている。
【０１１１】
続いて、第１の回動位置から保持板３３が第３の回動軸３５ａ、３５ａを支点として第２のアーム３０に対して回動されると、モニター３が保持板３３とともに装置本体２に対して回動される。保持板３３は第３の被規制突部３５ｂ、３５ｂがそれぞれ第２のアーム３０の第３の角度規制部３２ｃ、３２ｃに接触される位置まで回動され、第２の回動位置に至る（図１７及び図１８参照）。このとき第１のアーム２１がロック部１２によってロックされているため、モニター３の回動動作に伴って第１のアーム２１が装置本体２に対して回動されることがない。
【０１１２】
モニター３が第１の回動位置から第２の回動位置まで回動されるときには、モニター３に取り付けられた背面板３６が第２のアーム３０の基面部３１から離隔される。
【０１１３】
第２の回動位置においては、モニター３の表示面３ａが斜め上方を向く状態にされており、ローアングル撮影を行うことが可能である。
【０１１４】
第１の回動位置から第２の回動位置までの保持板３３（モニター３）の回動角度をＹとすると、Ｙは、例えば、１２０度にされている。第１の回動位置から第２の回動位置までのモニター３の回動方向は、収納位置から第１の回動位置までのモニター３の回動方向と反対方向である。
【０１１５】
上記したように、撮像装置１にあっては、第１のアーム２１を非回動位置に保持するロック部１２が設けられている。
【０１１６】
従って、収納位置から第１の回動位置までの回動時と第１の回動位置から第２の回動位置までの回動時とに第１のアーム２１が装置本体２に対して回動することがなく、第１のアーム２１の意図しない回動を防止してモニター３の回動位置における位置精度の向上を図ることができる。
【０１１７】
特に、収納位置から第１の回動位置までと第２の回動位置までの回動動作において第１のアーム２１が装置本体２に対して回動することがないため、ハイアングル撮影時とローアングル撮影時のモニター３の一定の傾斜角度を保持することができ、ハイアングル撮影時とローアングル撮影時における良好な撮影状態を確保することができる。
【０１１８】
引き続いて、第１のアーム２１に対するロック部１２のロックが解除され、第２の回動位置から第１のアーム２１が第１の回動軸２３ａ、２３ａを支点として回動されると、モニター３が第１のアーム２１と一体になって装置本体２に対して回動される。第１のアーム２１は第１の被規制突部２３ｂ、２３ｂがそれぞれ支持部材２０の第１の角度規制部として機能する支持面部２０ｂ、２０ｂに接触される位置まで回動され、飛出位置に至る（図１９及び図２０参照）。
【０１１９】
飛出位置においては、モニター３の表示面３ａが前方を向く状態にされており、撮影者を撮影する所謂自撮り撮影を行うことが可能である。
【０１２０】
第２の回動位置から飛出位置までの第１のアーム２１の回動角度をＺとすると、Ｚは９０度より大きい角度、例えば、１１５度にされている。第２の回動位置から飛出位置までのモニター３の回動方向は、収納位置から第１の回動位置までのモニター３の回動方向とは反対方向であり、第１の回動位置から第２の回動位置までのモニター３の回動方向とは同じ方向である。
【０１２１】
モニター３が飛出位置まで回動された状態においては、モニター３が一方の軸回り方向へ角度Ｘ回動され他方の軸回り方向へ角度Ｙ回動され他方の軸回り方向へ角度Ｚ回動されることにより、表示面３ａが前方を向くように設定される（図１９及び図２１参照）。即ち、収納位置から第１の回動位置までのモニター３の回動方向を−方向とすると、撮像装置１においては、−Ｘ＋Ｙ＋Ｚの角度の合計が１８０度になるようにされており、モニター３が収納位置から飛出位置まで回動されたときに表示面３ａが前方を向くように設定されている。
【０１２２】
従って、表示面３ａに表示される画像を被写体側から視認することができ、被写体が表示面３ａに表示される自画像を視認した状態で撮影することが可能になり良好な撮影画像を取得することができる。
【０１２３】
また、モニター３が装置本体２の上方まで回動された状態において、表示面３ａが前方を向くようにモニター３の回動角度を調整する必要がないため、モニター３の回動角度の調整と言う面倒な作業を行う必要がなく、撮像装置１の使い勝手の向上を図ることができる。
【０１２４】
さらに、撮像装置１にあっては、上記したように、第１のアーム２１の収納位置と飛出位置の間の回動角度が９０度より大きくされ、第１のアーム２１の装置本体２に対する回動角度が大きくされている。
【０１２５】
従って、モニター３が飛出位置まで回動された状態において表示面３ａを前方から視認した状態において装置本体２によって遮蔽されない位置に回動させることができ、自撮り撮影時において表示面３ａに表示される画像の視認性の向上を図ることができる。
【０１２６】
具体的には、飛出位置において表示面３ａが装置本体２の上面より上方に位置される（図１９参照）。このように飛出位置においては表示面３ａが装置本体２の上面より上方に位置されており、飛出位置は表示面３ａが一方の側（前側）を向き接眼部１０が表示面３ａの投影範囲Ａの外側に存在する位置とされている。
【０１２７】
従って、装置本体２によって表示面３ａに表示される画像が遮蔽され難いため、良好な撮影状態を確保することができる。
【０１２８】
また、飛出位置において表示面３ａが装置本体２の上面より上方に位置されることにより、筐体４の上面側に位置されるフラッシュ部や取付シュー７等によっても表示面３ａに表示される画像が遮蔽され難いため、一層良好な撮影状態を確保することができる。
【０１２９】
さらに、飛出位置において表示面３ａが装置本体２の下面より下方に位置されたり、表示面３ａが装置本体２の側面より側方に位置される場合には、筐体４の下端部に連結される自撮り棒や筐体４の側面部に設けられることが多いストラップ取付部等によって表示面３ａに表示される画像が遮蔽され易い状況になる。
【０１３０】
また、飛出位置において表示面３ａが装置本体２の側面より側方に位置される場合には、筐体４の側面部に設けられることが多いケーブル接続部に接続されるケーブルやストラップ取付部に取り付けられるストラップ等によっても表示面３ａに表示される画像が遮蔽され易い状況になる。
【０１３１】
従って、飛出位置において表示面３ａが装置本体２の上面より上方に位置されることにより、このような表示面３ａに表示される画像が遮蔽され易い状況になることがなく、良好な撮影状態を確保することができる。
【０１３２】
また、飛出位置において表示面３ａが装置本体２の側面より側方に位置される場合には、光軸方向と表示面３ａを視認するときの視線の方向とが左右に分かれるため、良好な画像の撮影に支障を来す可能性があるが、飛出位置において表示面３ａが装置本体２の上面より上方に位置される場合には、このような不都合は生じず、良好な画像を撮影することができる。
【０１３３】
さらに、飛出位置において表示面３ａが装置本体２の下面より下方に位置される場合には、三脚が使用できなくなったり撮像装置１をテーブル等の載置面に載置することができなくなるが、飛出位置において表示面３ａが装置本体２の上面より上方に位置される場合には、このような不都合は生じず、撮像装置１の使い勝手の向上を図ることができる。
【０１３４】
さらにまた、飛出位置において表示面３ａが装置本体２の下面より下方に位置される状態で撮影を行う場合には、自分撮り撮影を行う撮影者（被写体）が表示面３ａを上側から覗き込むようにして撮影を行う必要が生じ、俯いて影が生じた被写体を撮影する可能性があるが、飛出位置において表示面３ａが装置本体２の上面より上方に位置される場合には、このような不都合は生じず、良好な撮影画像を取得することができる。
【０１３５】
また、飛出位置においてモニター３とファインダーを同時に使用して撮影を行うことが可能である。例えば、自己の画像をモニター３の表示面３ａに映した状態で撮影者がファインダーの画像を視認して撮影を行うことができる。また、被写体、例えば、子供の注意を引き付けて子供の画像をモニター３の表示面３ａに映した状態で撮影者がファインダーの画像を視認して子供の目線の合った画像の撮影を行うことができる。
【０１３６】
加えて、撮像装置１には、装置本体２に対する第１のアーム２１の回動角度を規制する第１の角度規制部として機能する支持面部２０ｂ、２０ｂと、第１のアーム２１に対する第２のアーム３０の回動角度を規制する第２の角度規制部２５ａ、２５ａと、第２のアーム３０に対するモニター３の回動角度を規制する第３の角度規制部３２ｃ、３２ｃとが設けられている。
【０１３７】
従って、三つの角度規制部によって各回動位置においてモニター３の装置本体２に対する回動角度が常に同じ角度にされるため、撮像装置１の使い勝手の向上を図ることができる。
【０１３８】
尚、収納位置から第１の回動位置までの第２のアーム３０の回動角度Ｘと第１の回動位置から第２の回動位置までの保持板３３（モニター３）の回動角度Ｙと第２の回動位置から飛出位置までの第１のアーム２１の回動角度Ｚはそれぞれ任意の角度に設定することが可能である。
【０１３９】
但し、回動角度Ｘと回動角度Ｙと回動角度Ｚは、モニター３が飛出位置まで回動された状態において表示面３ａが前方を向く角度に設定されることが望ましく、回動角度Ｚは飛出位置において表示面３ａが装置本体２の上面より上方に位置されるように９０度より大きい角度に設定されることが望ましい。
【０１４０】
また、筐体４の内部には電子部品等が搭載される回路基板が前後方向を向いた状態で配置されているが、撮像装置１においては、第１の回動位置と第２の回動位置と飛出位置の何れの位置においてもモニター３が筐体４から離隔した状態にされる。
【０１４１】
従って、回路基板において発生する熱の筐体４の後面部からの放出がモニター３によって妨げられることがなく、放熱性の向上を図ることができる。特に、飛出位置においてはモニター３の他に第１のアーム２１、第２のアーム３０及び保持板３３も筐体４から離隔した状態にされるため、回路基板において発生する熱の筐体４の後面部からの一層良好な放出性を確保することができる。
【０１４２】
モニター３の飛出位置から収納位置までの回動は、先ず、飛出位置から第１のアーム２１が第１の回動軸２３ａ、２３ａを支点として第２の回動位置まで回動され、次に、第２の回動位置から保持板３３が第３の回動軸３５ａ、３５ａを支点として第１の回動位置まで回動され、続いて、第１の回動位置から第２のアーム３０が第２の回動軸３２ａ、３２ａを支点として回動されることにより行われる。
【０１４３】
第１のアーム２１が飛出位置から第２の回動位置まで回動されるときには、上記したように、作用軸２７の作用面２９ａがロック部１２の傾斜面１５に摺動されてロック部１２が一旦左方へ移動され、続いてロック部１２が右方へ移動されることにより第１のアーム２１がロック部１２によってロックされる。
【０１４４】
尚、上記には、収納位置から飛出位置までの回動が第２のアーム３０、モニター３、第１のアーム２１の順で行われ、飛出位置から収納位置までの回動が第１のアーム２１、モニター３、第２のアーム３０の順で行われる例を示した。但し、収納位置と飛出位置の間の回動はこれらの順に限られることはなく、第１のアーム２１が収納位置から回動される回動し始めの場合を除き、第２のアーム３０とモニター３と第１のアーム２１において異なる順序で行われてもよい。
【０１４５】
＜その他＞
上記には、ロック部１２が手動で操作される例を示したが、撮像装置１において、複数の撮影モードの選択が操作部５、５、・・・等によって選択することが可能な構成にされている場合に、所定の撮影モードが選択されたときに第１のアーム２１に対するロック部１２によるロックが自動的に解除される構成にされていてもよい。
【０１４６】
例えば、飛出位置において撮影を行う自分撮り撮影モードを含む複数の撮影モードの選択が可能とされている場合において、自分撮り撮影モードが選択されたときに第１のアーム２１に対するロック部１２によるロックが解除される構成にすることが可能である。
【０１４７】
このような構成にされることにより、第１のアーム２１の回動が必要な撮影モードである自分撮り撮影モードが選択されたときに第１のアーム２１に対するロックが解除されるため、撮影モードの選択とロック解除の操作の両方の作業を行う必要がなく、撮像装置１の使い勝手の向上を図ることができる。
【０１４８】
尚、第１のアーム２１に対するロック部１２による自動の解除は、例えば、モーターやソレノイド等のロック部１２を動作させる駆動部を設け、自分撮り撮影モードが選択されたときに駆動部によってロック部１２が動作されるように構成することにより行うことが可能である。
【０１４９】
また、複数の撮影モードの選択が可能とされている構成に代えて、例えば、自分撮り撮影モードの選択を行うことができる操作釦等の選択操作部を設け、選択操作部が操作されて自分撮り撮影モードが選択されたときに第１のアーム２１に対するロック部１２によるロックが解除される構成にすることも可能である。
【０１５０】
さらに、上記には、スライド操作されるロック部１２を例として示したが、ロック部１２はスライド操作されるタイプに限られることはなく、例えば、図２２に示すように、押圧操作されるタイプのロック部１２であってもよく、また、図２３に示すように、回転操作されるタイプのロック部１２であってもよい。
【０１５１】
また、ロック部１２は第１のアーム２１をロックすることが可能な位置であれば装置本体２の各面の任意の位置に設けることが可能であり、ロック部１２を設ける位置は筐体４の後面の他に筐体４の側面や下面であってもよい。但し、ロック部１２は収納位置においてモニター３又は第２のアーム３０によって閉塞される位置に設けられることが望ましい。
【０１５２】
さらに、撮像装置１にファインダー表示モードとディスプレイ（表示面３ａ）表示モードを切り替えるための切替センサーが設けられている場合に、以下のような表示制御を行うことが可能である（図２４参照）。尚、切替センサーはファインダー窓９の近傍に配置されており、撮影者がファインダーを覗くと撮影者を検出してファインダー表示に切り替えるためのセンサーである。
【０１５３】
尚、以下の表示制御が行われる構成においては、撮像装置１に、第１のアーム２１に対するロック部１２によるロック状態の有無を検出するロック用センサーが設けられている。
【０１５４】
（Ｓ１）ロック用センサーによる第１のアーム２１に対するロック部１２のロック状態の有無が検出される。ロックが行われていることが検出されなかった場合には（Ｓ２）に移行し、ロックが行われていることが検出された場合には（Ｓ５）に移行する。
【０１５５】
（Ｓ２）切替センサーによる撮影者の有無、即ち、撮影者がファインダーを覗いているか否かが検出される。撮影者が検出された場合には（Ｓ３）に移行し、撮影者が検出されなかった場合には（Ｓ４）に移行する。
【０１５６】
（Ｓ３）モニター３の表示面３ａとファインダーの双方が表示され、対面撮影モードが設定される。
【０１５７】
（Ｓ４）モニター３の表示面３ａが表示されファインダーが表示されず、自分撮りモードが設定される。
【０１５８】
（Ｓ５）切替センサーによる撮影者の有無、即ち、撮影者がファインダーを覗いているか否かが検出される。撮影者が検出された場合には（Ｓ６）に移行し、撮影者が検出されなかった場合には（Ｓ７）に移行する。
【０１５９】
（Ｓ６）ファインダーが表示されモニター３の表示面３ａが表示されない。
【０１６０】
（Ｓ７）モニター３の表示面３ａが表示されファインダーが表示されない。
【０１６１】
上記のような表示制御が行われることにより、（Ｓ４）、（Ｓ６）及び（Ｓ７）においてモニター３の表示面３ａ又はファインダーの何れかのみが表示されるため、消費電力の低減を図ることができる。
【０１６２】
尚、撮像装置１においては、モニター３を飛出位置へ向けて回動させた状態において、表示面３ａが上方を向くようにモニター３の回動角度を調整することが可能である（図２５参照）。このように表示面３ａが上方を向く状態にすることにより、モニター３が第２の回動位置に回動された状態に対してよりローアングルな状態での撮影が可能となる。
【０１６３】
このように撮像装置においては、よりローアングルな状態での撮影が可能となるため、撮影モードの選択の幅が広がり、撮像装置１の撮影に関する使い勝手の向上を図ることができる。
【０１６４】
＜撮像装置の一実施形態＞
以下に、本技術撮像装置の一実施形態について説明する（図２６参照）。
【０１６５】
撮像装置１においてはカメラブロック８０によって撮影が行われる。撮像装置１は、撮影された画像信号のアナログ−デジタル変換等の信号処理を行うカメラ信号処理部８１と、画像信号の記録再生処理を行う画像処理部８２とを有している。また、撮像装置１は、撮影された画像等を表示する表示部８３（モニター３とファインダー）と、メモリー９０への画像信号の書込及び読出を行うＲ／Ｗ（リーダ／ライタ）８４と、撮像装置１の全体を制御するＣＰＵ（Central Processing Unit）８５と、ユーザーによって所要の操作が行われる各種のスイッチ等の入力操作部８６（操作部５）と、カメラブロック８０に配置されたレンズの駆動を制御するレンズ駆動制御部８７とを備えている。
【０１６６】
カメラブロック８０は、レンズ群８８を含む光学系や、ＣＣＤ（Charge Coupled Device）やＣＭＯＳ（Complementary Metal-Oxide Semiconductor）等の撮像素子８９（撮像素子１１）等とによって構成されている。尚、撮像装置１が交換レンズ１００を用いるタイプにあっては、交換レンズ１００と撮像素子８９等がカメラブロック８０として構成される。
【０１６７】
カメラ信号処理部８１は、撮像素子８９からの出力信号に対するデジタル信号への変換、ノイズ除去、画質補正、輝度・色差信号への変換等の各種の信号処理を行う。
【０１６８】
画像処理部８２は、所定の画像データフォーマットに基づく画像信号の圧縮符号化・伸張復号化処理や解像度等のデータ仕様の変換処理等を行う。
【０１６９】
表示部８３はユーザーの入力操作部８６に対する操作状態や撮影した画像等の各種のデータを表示する機能を有している。
【０１７０】
Ｒ／Ｗ８４は、画像処理部８２によって符号化された画像データのメモリー９０への書込及びメモリー９０に記録された画像データの読出を行う。
【０１７１】
ＣＰＵ８５は、撮像装置１に設けられた各回路ブロックを制御する制御処理部として機能し、入力操作部８６からの指示入力信号等に基づいて各回路ブロックを制御する。
【０１７２】
入力操作部８６はユーザーによる操作に応じた指示入力信号をＣＰＵ８５に対して出力する。
【０１７３】
レンズ駆動制御部８７は、ＣＰＵ８５からの制御信号に基づいてレンズ群８８の各レンズを駆動する駆動源を制御する。
【０１７４】
メモリー９０は、例えば、Ｒ／Ｗ８４に接続されたスロットに対して着脱可能な半導体メモリーである。また、メモリー９０は内蔵された半導体メモリーであってもよい。
【０１７５】
以下に、撮像装置１における動作を説明する。
【０１７６】
撮影の待機状態では、ＣＰＵ８５による制御の下で、カメラブロック８０において撮影された画像信号が、カメラ信号処理部８１を介して表示部８３に出力され、カメラスルー画像として表示される。また、入力操作部８６からのズーミングのための指示入力信号が入力されると、ＣＰＵ８５がレンズ駆動制御部８７に制御信号を出力し、レンズ駆動制御部８７の制御に基づいてレンズ群８８の所定のレンズが移動される。
【０１７７】
入力操作部８６からの指示入力信号によりカメラブロック８０のシャッターが動作されると、撮影された画像信号がカメラ信号処理部８１から画像処理部８２に出力されて圧縮符号化処理され、所定のデータフォーマットのデジタルデータに変換される。変換されたデータはＲ／Ｗ８４に出力され、メモリー９０に書き込まれる。
【０１７８】
フォーカシングはＣＰＵ８５からの制御信号に基づいてレンズ駆動制御部８７がレンズ群８８の所定のレンズを移動させることにより行われる。
【０１７９】
メモリー９０に記録された画像データを再生する場合には、入力操作部８６に対する操作に応じて、Ｒ／Ｗ８４によってメモリー９０から所定の画像データが読み出され、画像処理部８２によって伸張復号化処理が行われた後に、再生画像信号が表示部８３に出力されて再生画像が表示される。
【０１８０】
＜まとめ＞
以上に記載した通り、撮像装置１は、装置本体２に第１の回動軸２３ａを支点として回動自在に支持された第１のアーム２１と、第１のアーム２１に第２の回動軸３２ａ、３２ａを支点として回動自在に支持された第２のアーム３０と、第２のアーム３０に第３の回動軸３５ａ、３５ａを支点として回動自在に支持されたモニター３とを備え、第１の回動軸２３ａの軸方向と第２の回動軸３２ａ、３２ａの軸方向と第３の回動軸３５ａ、３５ａの軸方向とが同じ方向にされている。
【０１８１】
従って、第１のアーム２１と第２のアーム３０とモニター３が装置本体２に対して同じ方向へ回動されるため、撮影の開始までの回動動作が簡易であり、表示面３ａの向きの調整に手間や時間がかからず、表示面３ａを必要な向きに設定し易く、表示面３ａの向きの調整を適正に行って使い勝手の向上を図ることができる。
【０１８２】
また、撮像装置１は、一方の側に撮像部を有する装置本体２と、収納位置と飛出位置の間で移動可能とされたモニター３と、装置本体２から一方の側と反対の他方の側に突出して設けられた接眼部１０とを備え、収納位置は表示面３ａが他方の側を向く位置とされ、飛出位置は表示面３ａが一方の側を向き接眼部１０が表示面３ａの投影範囲Ａの外側に存在する位置とされている。
【０１８３】
従って、飛出位置において接眼部１０が表示面３ａの投影範囲に存在しないため、撮影の開始までの簡易な回動動作によって表示面３ａが適正な方向を向き、表示面３ａの向きの調整に手間や時間がかからず、表示面３ａを必要な向きに設定し易く、表示面３ａの向きの調整を適正に行って使い勝手の向上を図ることができる。
【０１８４】
＜本技術＞
本技術は、以下のような構成にすることもできる。
【０１８５】
（１）
装置本体と、
前記装置本体に第１の回動軸を支点として回動自在に支持された第１のアームと、
前記第１のアームに第２の回動軸を支点として回動自在に支持された第２のアームと、
前記第２のアームに第３の回動軸を支点として回動自在に支持されたモニターとを備え、
前記第１の回動軸の軸方向と前記第２の回動軸の軸方向と前記第３の回動軸の軸方向とが同じ方向にされた
撮像装置。
【０１８６】
（２）
前記装置本体の一方の側に撮像部が設けられ、
前記モニターが表示面を有し前記装置本体に対して収納位置と飛出位置の間で移動可能とされ、
前記装置本体から前記一方の側と反対の他方の側に突出して接眼部が設けられ、
前記収納位置は前記表示面が前記他方の側を向き前記モニターが前記装置本体に収納される位置とされ、
前記飛出位置は前記表示面が前記一方の側を向き前記接眼部が前記表示面の投影範囲の外側に存在する位置とされた
前記（１）に記載の撮像装置。
【０１８７】
（３）
前記飛出位置において前記表示面が前記装置本体の上面より上方に位置される
前記（２）に記載の撮像装置。
【０１８８】
（４）
前記飛出位置において前記表示面が前方を向く
前記（２）又は前記（３）に記載の撮像装置。
【０１８９】
（５）
前記装置本体に対する前記第１のアームの回動角度を規制する第１の角度規制部と、
前記第１のアームに対する前記第２のアームの回動角度を規制する第２の角度規制部と、
前記第２のアームに対する前記モニターの回動角度を規制する第３の角度規制部とが設けられた
前記（１）から前記（４）の何れかに記載の撮像装置。
【０１９０】
（６）
前記第１のアームの前記装置本体に対する前記収納位置と前記飛出位置の間の回動角度が９０度より大きくされた
前記（２）から前記（４）の何れかに記載の撮像装置。
【０１９１】
（７）
前記第１のアームを前記装置本体に対して回動しない非回動位置に保持するロック部が設けられた
前記（１）から前記（６）の何れかに記載の撮像装置。
【０１９２】
（８）
前記モニターが前記装置本体に対して収納位置と飛出位置の間で移動可能とされ、
少なくとも前記第１のアームが回動されて前記モニターが前記飛出位置に移動され、
前記飛出位置において撮影を行う自分撮り撮影モードを含む複数の撮影モードの選択が可能とされ、
前記自分撮り撮影モードが選択されたときに前記第１のアームに対する前記ロック部によるロックが解除される
前記（７）に記載の撮像装置。
【０１９３】
（９）
前記モニターが前記装置本体に対して収納位置と飛出位置の間で移動可能とされ、
前記モニターを前記収納位置から前記飛出位置へ向かう方向へ付勢する付勢バネが設けられ、
前記第１のアームが前記収納位置において前記付勢バネによる付勢力が付与された状態で前記ロック部によってロックされる
前記（７）又は前記（８）に記載の撮像装置。
【０１９４】
（１０）
前記モニターが前記装置本体に対して収納位置と飛出位置の間で移動可能とされ、
前記ロック部が前記収納位置において前記第２のアーム又は前記モニターに閉塞される
前記（７）から前記（９）の何れかに記載の撮像装置。
【０１９５】
（１１）
一方の側に撮像部を有する装置本体と、
表示面を有し前記装置本体に対して収納位置と飛出位置の間で移動可能とされたモニターと、
前記装置本体から前記一方の側と反対の他方の側に突出して設けられた接眼部とを備え、
前記収納位置は前記表示面が前記他方の側を向き前記モニターが前記装置本体に収納される位置とされ、
前記飛出位置は前記表示面が前記一方の側を向き前記接眼部が前記表示面の投影範囲の外側に存在する位置とされた
撮像装置。
【０１９６】
（１２）
前記装置本体に第１の回動軸を支点として回動自在に支持された第１のアームが設けられ、
前記第１のアームに第２の回動軸を支点として回動自在に支持された第２のアームが設けられ、
前記モニターが前記第２のアームに第３の回動軸を支点として回動自在に支持され、
前記第１の回動軸の軸方向と前記第２の回動軸の軸方向と前記第３の回動軸の軸方向とが同じ方向にされた
前記（１１）に記載の撮像装置。
【０１９７】
（１３）
前記飛出位置において前記表示面が前記装置本体の上面より上方に位置される
前記（１１）又は前記（１２）の何れかに記載の撮像装置。
【０１９８】
（１４）
前記飛出位置において前記表示面が前方を向く
前記（１１）から前記（１３）の何れかに記載の撮像装置。
【０１９９】
（１５）
前記装置本体に対する前記第１のアームの回動角度を規制する第１の角度規制部と、
前記第１のアームに対する前記第２のアームの回動角度を規制する第２の角度規制部と、
前記第２のアームに対する前記モニターの回動角度を規制する第３の角度規制部とが設けられた
前記（１２）に記載の撮像装置。
【０２００】
（１６）
前記第１のアームの前記装置本体に対する前記収納位置と前記飛出位置の間の回動角度が９０度より大きくされた
前記（１２）に記載の撮像装置。
【０２０１】
（１７）
前記第１のアームを前記装置本体に対して回動しない非回動位置に保持するロック部が設けられた
前記（１２）に記載の撮像装置。
【０２０２】
（１８）
少なくとも前記第１のアームが回動されて前記モニターが前記飛出位置に移動され、
前記飛出位置において撮影を行う自分撮り撮影モードを含む複数の撮影モードの選択が可能とされ、
前記自分撮り撮影モードが選択されたときに前記第１のアームに対する前記ロック部によるロックが解除される
前記（１７）に記載の撮像装置。
【０２０３】
（１９）
前記モニターを前記収納位置から前記飛出位置へ向かう方向へ付勢する付勢バネが設けられ、
前記第１のアームが前記収納位置において前記付勢バネによる付勢力が付与された状態で前記ロック部によってロックされる
前記（１７）又は前記（１８）に記載の撮像装置。
【０２０４】
（２０）
前記ロック部が前記収納位置において前記第２のアーム又は前記モニターに閉塞される
前記（１７）から前記（１９）の何れかに記載の撮像装置。
【符号の説明】
【０２０５】
１…撮像装置、２…装置本体、３…モニター、３ａ…表示面、４ｄ…レンズマウント部（撮像部）、１０…接眼部、１１…撮像素子（撮像部）、１２…ロック部、１９…付勢バネ、２０ｂ…支持面部（第１の角度規制部）、２１…第１のアーム、２３ａ…第１の回動軸、２５ａ…第２の角度規制部、３０…第２のアーム、３２ａ…第２の回動軸、３２ｃ…第３の角度規制部、３５ａ…第３の回動軸、８９…撮像素子
【図１】
2017081927.tif 000003
【図２】
2017081927.tif 000004
【図３】
2017081927.tif 000005
【図４】
2017081927.tif 000006
【図５】
2017081927.tif 000007
【図６】
2017081927.tif 000008
【図７】
2017081927.tif 000009
【図８】
2017081927.tif 000010
【図９】
2017081927.tif 000011
【図１０】
2017081927.tif 000012
【図１１】
2017081927.tif 000013
【図１２】
2017081927.tif 000014
【図１３】
2017081927.tif 000015
【図１４】
2017081927.tif 000016
【図１５】
2017081927.tif 000017
【図１６】
2017081927.tif 000018
【図１７】
2017081927.tif 000019
【図１８】
2017081927.tif 000020
【図１９】
2017081927.tif 000021
【図２０】
2017081927.tif 000022
【図２１】
2017081927.tif 000023
【図２２】
2017081927.tif 000024
【図２３】
2017081927.tif 000025
【図２４】
2017081927.tif 000026
【図２５】
2017081927.tif 000027
【図２６】
2017081927.tif 000028
【国際調査報告】
2017081927.tif 000029
2017081927.tif 000030
2017081927.tif 000031
2017081927.tif 000032